(57)【要約】【課題】像ブレを生じさせないで表現豊かな画像を生成する。【解決手段】撮像装置は、被写体を撮像して撮像画像を生成する撮像部と、撮像画像に対して第１の画像処理を行い、第１の画像を生成する第１画像処理部と、撮像画像に対して第２の画像処理を行い、第２の画像を生成する第２画像処理部と、第１の画像と第２の画像とを合成して合成画像を生成する画像合成部と、を備える。【選択図】図２
2015139127.tif 000002
【特許請求の範囲】
【請求項１】
被写体を撮像して撮像画像を生成する撮像部と、
前記撮像画像に対して第１の画像処理を行い、第１の画像を生成する第１画像処理部と、
前記撮像画像に対して第２の画像処理を行い、第２の画像を生成する第２画像処理部と、
前記第１の画像と前記第２の画像とを合成して合成画像を生成する画像合成部と、
を備えることを特徴とする撮像装置。
【請求項２】
請求項１に記載の撮像装置において、
前記第２画像処理部は、画像処理の種類が前記第１画像処理部と同一であって、前記画像処理の強度が前記第１画像処理部と異なることを特徴とする撮像装置。
【請求項３】
請求項２に記載の撮像装置において、
前記撮像部は、撮像素子を有し、
前記撮像素子の受光感度が高いときに、
前記第２画像処理部は、前記撮像画像に対して第１強度でノイズフィルタ処理を行い、
前記第１画像処理部は、前記撮像画像に対して前記第１強度よりも強い第２強度でノイズフィルタ処理を行うことを特徴とする撮像装置。
【請求項４】
請求項１に記載の撮像装置において、
前記第２画像処理部は、画像処理の種類が前記第１画像処理部と異なることを特徴とする撮像装置。
【請求項５】
請求項４に記載の撮像装置において、
前記第１画像処理部は、前記撮像画像に対して、輪郭を強調する処理を行い、
前記第２画像処理部は、前記撮像画像に対して、輪郭をぼかす処理を行うことを特徴とする撮像装置。
【請求項６】
請求項１に記載の撮像装置において、
前記第２画像処理部は、画像処理の種類と強度が前記第１画像処理部と同一であることを特徴とする撮像装置。
【請求項７】
請求項６に記載の撮像装置において、
前記第１画像処理部および前記第２画像処理部は、前記撮像画像に対して、同一強度で彩度強調処理を行うことを特徴とする撮像装置。
【発明の詳細な説明】
【技術分野】
【０００１】
本発明は、撮像装置に関する。
【背景技術】
【０００２】
連続撮影された複数の画像を合成して、画像の表現の幅を広げる技術が知られている。たとえば、特許文献１では、異なる露出で連続撮影された複数の画像を合成して白とびや黒つぶれを抑えた画像を作成している。
【先行技術文献】
【特許文献】
【０００３】
【特許文献１】特開２０１１−１５３８０号公報
【発明の概要】
【発明が解決しようとする課題】
【０００４】
連続撮影した複数の画像を合成する場合、被写体が動いてしまうと合成画像に像ブレが生じることがある。
【課題を解決するための手段】
【０００５】
本発明による撮像装置は、被写体を撮像して撮像画像を生成する撮像部と、撮像画像に対して第１の画像処理を行い、第１の画像を生成する第１画像処理部と、撮像画像に対して第２の画像処理を行い、第２の画像を生成する第２画像処理部と、第１の画像と第２の画像とを合成して合成画像を生成する画像合成部と、を備えることを特徴とする。
【発明の効果】
【０００６】
本発明によれば、像ブレを生じさせないで表現豊かな画像を生成することができる。
【図面の簡単な説明】
【０００７】
【図１】本発明の一実施の形態による撮像装置の構成を例示するブロック図である。
【図２】ＡＳＩＣの機能ブロック図である。
【図３】鮮鋭化フィルタの一例を示す図である。
【図４】本発明の一実施の形態による撮像装置の設定と、合成画像の生成に用いる第１画像および第２画像との対応関係の一例を示す図である。
【図５】発明の一実施の形態による撮像装置の動作に関するフローチャートである。
【図６】マスク画像の生成に関するフローチャートの一例である。
【発明を実施するための形態】
【０００８】
図１は、本発明の一実施の形態による撮像装置の構成を例示するブロック図である。図１に例示されるデジタルカメラ１は、撮影レンズ７と、絞り８と、絞り駆動部９と、撮像素子１０と、アナログ信号処理回路１１と、Ａ／Ｄ変換回路１２と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１３と、ドライバ１６と、タイミングジェネレータ（ＴＧ）１７と、ＣＰＵ１８と、ＲＡＭ１９と、ＲＯＭ２０と、表示モニタ２１と、メインスイッチ２２と、半押しスイッチ２３と、全押しスイッチ２４と、測光装置２５と、記録媒体２７とを備える。
【０００９】
撮影レンズ７は、ズームレンズやフォーカシングレンズを含む複数のレンズ群で構成され、被写体像を撮像素子１０の受光面に結像させる。なお、図１では、図を簡単にするため、撮影レンズ７は単レンズとして示されている。
【００１０】
絞り８は、複数枚の絞り羽根（不図示）から形成され、撮像素子１０に受光させる光束の光量を調整する。絞り駆動部９は、ＣＰＵ１８が設定した絞り値に基づいて、絞り羽根（不図示）を駆動する。
【００１１】
撮像素子１０は、例えばＣＣＤやＣＭＯＳ等の撮像素子であり、撮影レンズ７により結像された被写体像を撮像する。ドライバ１６は、タイミングジェネレータ１７からタイミング信号が入力されており、そのタイミング信号に基づいて駆動信号を生成し、撮像素子１０へ出力する。撮像素子１０は、ドライバ１６から入力された駆動信号に基づいて、被写体像に関するアナログ撮像信号を出力する。
【００１２】
アナログ信号処理回路１１は、撮像素子１０から出力されたアナログ撮像信号に対して、ＩＳＯ感度に応じた信号増幅処理などのアナログ信号処理を行う。Ａ／Ｄ変換回路１２は、アナログ信号処理回路１１によるアナログ信号処理後の電気信号をＲＧＢ色空間に基づくデジタル撮像信号に変換して、デジタル撮像信号をＡＳＩＣ１３に出力する。ＡＳＩＣ１３は、ＲＡＭ１９を作業領域として、Ａ／Ｄ変換回路１２から出力されるデジタル撮像信号に対して後述する画像処理を行う。
【００１３】
ＣＰＵ１８は、ＲＡＭ１９を作業領域として用いてＲＯＭ２０に記憶された制御プログラムを実行して、デジタルカメラ１の各部を制御する。ＲＯＭ２０は、例えばＥＥＰＲＯＭ、フラッシュメモリ等の不揮発性メモリであって、デジタルカメラ１の制御プログラム等を記憶している。表示モニタ２１は、例えば液晶モニタであって、メニュー画面や、記録媒体２７に保存された記録用画像の再生画面などが表示される。
【００１４】
メインスイッチ２２は、オン操作またはオフ操作に応じた操作信号をＣＰＵ１８へ出力する。ＣＰＵ１８は、オン操作信号を受けた場合に不図示の電源回路から各ブロックへ電源供給を開始させ、オフ操作信号を受けた場合には該電源回路から各ブロックへの電源供給を停止させる。
【００１５】
半押しスイッチ２３および全押しスイッチ２４は、レリーズボタン（不図示）の押下操作に連動してオン／オフされ、それぞれが操作信号をＣＰＵ１８へ出力する。半押しスイッチ２３は、レリーズボタン（不図示）が通常ストロークの半分程度まで押し下げ操作されると半押し信号を出力する。そして、半押しスイッチ２３は、半ストロークの押し下げ操作解除により半押し信号の出力が解除される。
【００１６】
全押しスイッチ２４は、レリーズボタン（不図示）が通常ストロークまで押し下げ操作されると全押し信号を出力する。そして、全押しスイッチ２４は、通常ストロークの押し下げ操作が解除されると全押し信号の出力が解除される。
【００１７】
測光装置２５は、ＣＰＵ１８に対して半押しスイッチ２３の半押し信号が入力されたとき、被写体の輝度を算出する。記録媒体２７は、例えば、フラッシュメモリカードなどのデータストレージ部材によって構成され、記録用画像などが保存される。
【００１８】
（デジタルカメラ１のモード）
デジタルカメラ１は、複数のシーンモード、例えば、ポートレートモード、建物モードなどを有する。ポートレートモードでは、デジタルカメラ１の各部の設定が人物撮影に最適な設定に変更される。建物モードでは、デジタルカメラ１は、デジタルカメラ１の各部の設定が建築物をシャープに写すのに最適な設定に変更される。
【００１９】
また、デジタルカメラ１には、複数の仕上り調整モード、例えば、ビビッド、モノクロームなどを有する。ビビッドモードでは、被写体の輪郭やコントラストが強調された画像が生成される。モノクロームモードでは、白黒やセピアなど単色の濃淡で表現された画像が生成される。
【００２０】
図２は、ＡＳＩＣ１３の機能ブロック図である。ＡＳＩＣ１３は、画像取り込み部１３１と、画像処理部１３２と、ローパスフィルタ部１３３と、ノイズフィルタ部１３４と、アルファブレンド部１３５と、リサイズ部１３６と、圧縮部１３７と、記録部１３８とを有する。
【００２１】
画像取り込み部１３１は、Ａ／Ｄ変換回路１２から出力されるデジタル撮像信号を入力画像１９１として取り込む。
画像処理部１３２は、入力画像１９１に対して、輪郭抽出、輪郭強調、彩度強調、ガンマ補正、ホワイトバランス調整、補間などの画像処理を行い、現像画像１９２を生成する。
【００２２】
輪郭抽出では、画像処理部１３２は、入力画像１９１の輪郭（エッジ）を抽出する。たとえば、画像処理部１３２は、入力画像１９１に対して公知のＳｏｂｅｌフィルタ等を適用して、所定の閾値以上の画素を入力画像１９１の輪郭として抽出する。輪郭抽出の強度は、所定の閾値を変えることによって調整することができる。
【００２３】
輪郭強調では、画像処理部１３２は、入力画像１９１に対して公知の鮮鋭化フィルタを適用して、入力画像１９１の輪郭を強調する。図３は、大きさが３×３の鮮鋭化フィルタの一例を示す。図３に例示する鮮鋭化フィルタ３０のｋの値を変えることにより、鮮鋭化の程度、すなわち輪郭強調の強度を変えることができる。以降の説明では、ｋ＝１のとき、輪郭強調の強度が標準であるものとする。
【００２４】
彩度強調では、画像処理部１３２は、ＲＧＢ色空間に基づく入力画像１９１をＨＳＶ色空間に基づく画像データに変換して、変換後の画像データの彩度ｓの値を所定値ｓ１増加させた後、再び元のＲＧＢ色空間に変換する。彩度強調の強度は、所定値ｓ１を変えることによって調整することができる。
【００２５】
ローパスフィルタ部１３３は、現像画像１９２に対して、ローパスフィルタ処理を行う。ローパスフィルタ部１３３は、現像画像１９２に含まれる空間周波数成分のうち、所定周波数ｆｔｈ以上の周波数成分を除去する。所定周波数ｆｔｈの値は、調整可能であって、所定周波数ｆｔｈの値を小さくする、すなわち除去する周波数成分の周波数範囲を広くすると、ローパスフィルタ処理の強度は強くなる。なお、ローパスフィルタ処理は、現像画像１９２の全体に対して適用することもできるし、現像画像１９２の部分に対して適用することもできる。たとえば、輪郭抽出により抽出された輪郭の部分にのみローパスフィルタ処理を適用することができる。
【００２６】
ノイズフィルタ部１３４は、現像画像１９２に対して、ノイズフィルタ処理を行う。例えば、ノイズフィルタ部１３４は、現像画像１９２の各画素について、その画素を中心とするｎ×ｎ個の画素の画像データの平均値や中央値を算出して、ノイズフィルタ処理後の画像データとする。ｎの値、すなわちノイズフィルタ処理のフィルタ（オペレータ、演算子）のサイズは、調整可能である。ｎの値が大きくなるほど、ノイズフィルタ処理の強度は強くなる。以降の説明では、ｎ＝３のとき、ノイズフィルタ処理の強度が標準であるものとする。
【００２７】
画像処理部１３２は、前述の画像処理のうち所定の画像処理を特別な設定値に設定して入力画像１９１に施して第１画像Ｉｍｇ１または第２画像Ｉｍｇ２を生成する。また、ローパスフィルタ部１３３またはノイズフィルタ部１３４は、現像画像１９２に所定のフィルタ処理を施して第１画像Ｉｍｇ１または第２画像Ｉｍｇ２を生成する。
【００２８】
アルファブレンド部１３５は、上述の第１画像Ｉｍｇ１および第２画像Ｉｍｇ２をアルファブレンド処理により合成して合成画像１９４を生成する。アルファブレンド部１３５は、下式（１）を画素位置（ｉ，ｊ）ごとに算出して、合成画像１９４を生成する。ここで、α（ｉ，ｊ）は、０以上１以下の係数であって、後述するマスク画像１９３に基づいて定められる。
Ｉｍｇ１（ｉ，ｊ）×α（ｉ，ｊ）＋Ｉｍｇ２（ｉ，ｊ）×（１−α（ｉ，ｊ））    ・・・（１）
【００２９】
図４は、デジタルカメラ１の設定と、アルファブレンド部１３５によって合成される第１画像Ｉｍｇ１および第２画像Ｉｍｇ２との対応関係の一例を示す。以降、図４に例示するように、合成画像１９４の生成に用いる第１画像Ｉｍｇ１と第２画像Ｉｍｇ２を決定する条件となるデジタルカメラ１の設定を画像決定条件と称する。
【００３０】
〔１〕デジタルカメラ１のＩＳＯ感度が所定値より高い、たとえばＩＳＯ８００より高い場合は、ノイズが多くなるため、以下に示す画像を第１画像Ｉｍｇ１と第２画像Ｉｍｇ２とする。
第１画像Ｉｍｇ１：現像画像１９２に対して標準強度、たとえばｎ＝３より強めにノイズフィルタをかけた画像
第２画像Ｉｍｇ２：現像画像１９２に対して標準強度、たとえばｎ＝３のノイズフィルタをかけた画像
【００３１】
〔２〕デジタルカメラ１のシーンモードが建物モードの場合は、以下に示す画像を第１画像Ｉｍｇ１と第２画像Ｉｍｇ２とする。
第１画像Ｉｍｇ１：入力画像１９１に対して標準強度（ｋ＝１）より強めに輪郭強調処理を適用した画像
第２画像Ｉｍｇ２：現像画像１９２の輪郭部の近傍にローパスフィルタをかけた画像
なお、第２画像Ｉｍｇ２における現像画像１９２の輪郭部は、入力画像１９１に対して輪郭抽出処理を行うことによって抽出される。
【００３２】
〔３〕デジタルカメラ１のシーンモードがポートレートモードの場合は、以下に示す画像を第１画像Ｉｍｇ１と第２画像Ｉｍｇ２とする。
第１画像Ｉｍｇ１：入力画像１９１に対して標準強度（ｋ＝１）より強めに輪郭強調処理を適用した画像
第２画像Ｉｍｇ２：現像画像１９２の全体に対して標準強度のローパスフィルタをかけた画像
【００３３】
〔４〕デジタルカメラ１の仕上り調整モードがビビッドモードの場合は、以下に示す画像を第１画像Ｉｍｇ１と第２画像Ｉｍｇ２とする。
第１画像Ｉｍｇ１：入力画像１９１に対して所定強度の彩度強調を行った画像
第２画像Ｉｍｇ２：入力画像１９１に対して第１画像Ｉｍｇ１を生成したときと同一の強度の彩度強調を行った画像
なお、第１画像Ｉｍｇ１を生成する際の彩度強調処理の強度と、第２画像Ｉｍｇ２を生成する際の彩度強調処理の強度は、異なる値を用いてもよい。
【００３４】
マスク画像１９３は、入力画像１９１の輝度情報に基づいて生成される所定階調数（たとえば２５６階調）のモノクロ画像である。前述した上式（１）における係数α（ｉ，ｊ）は、このマスク画像１９３の各画素位置（ｉ，ｊ）の輝度で表現されている。たとえば、マスク画像１９３の各画素位置（ｉ，ｊ）の輝度が高いほど、合成画像１９４における第１画像の割合が高くなると共に第２画像の割合が低くなる。
【００３５】
リサイズ部１３６は、画像の縮小、拡大を行う。圧縮部１３７は、画像をＪＰＥＧ形式などの画像形式に圧縮して、圧縮画像１９５を生成する。記録部１３８は、記録媒体２７に圧縮画像１９５を記録する。
【００３６】
図５は、デジタルカメラ１の動作に関するフローチャートである。図５に示す動作は、ＣＰＵ１８がＲＯＭ２０に記憶されたプログラムに基づいてデジタルカメラ１の各部、例えばＡＳＩＣ１３を制御することにより実行される。
【００３７】
ステップＳ２００では、ＣＰＵ１８は、デジタルカメラ１の設定、たとえば、ＩＳＯ感度の設定、シーンモードの設定、仕上り調整モードの設定などを受け付ける。
【００３８】
ステップＳ２０１では、ＣＰＵ１８は、全押しスイッチ２４から全押し信号が入力されたか否かを判定する。ＣＰＵ１８は、全押しスイッチ２４が入力されていない場合はステップＳ２００に戻り、全押しスイッチ２４が入力されている場合はステップＳ２０２に進む。
【００３９】
ステップＳ２０２では、ＣＰＵ１８は、一つの入力画像１９１の取り込みを実施する。ステップＳ２０３では、ＣＰＵ１８は、入力画像１９１に所定の画像処理を施して現像画像１９２を生成する。
【００４０】
ステップＳ２０４では、ＣＰＵ１８は、ステップＳ２００で設定されたデジタルカメラ１の設定が画像決定条件を満たしているか否かを判定する。ＣＰＵ１８は、例えば、デジタルカメラ１の設定が図３のデジタルカメラの設定の欄に示した設定のいずれかを満足する場合、ステップＳ２０４を肯定判定してステップＳ２０５に進む。一方、デジタルカメラ１がいずれの選定条件も満たさない場合、ステップＳ２０４を否定判定してステップＳ２１０に進む。
【００４１】
ステップＳ２０５では、ＣＰＵ１８は、デジタルカメラ１の設定が満足する画像決定条件に応じた第１画像Ｉｍｇ１を生成する。たとえば、デジタルカメラ１のシーンモードがポートレートモードに設定されている場合、第１画像Ｉｍｇ１として、入力画像１９１に対して標準強度より強めに輪郭強調処理を適用した画像を生成する。
【００４２】
ステップＳ２０６では、ＣＰＵ１８は、デジタルカメラ１の設定が満足する画像決定条件に応じた第２画像Ｉｍｇ２を生成する。たとえば、デジタルカメラ１のシーンモードがポートレートモードに設定されている場合、第２画像Ｉｍｇ２として、現像画像１９２に対して標準強度のローパスフィルタをかけた画像を生成する。
【００４３】
ステップＳ２０７では、ＣＰＵ１８は、入力画像１９１に基づいて、マスク画像１９３を生成する。
【００４４】
ステップＳ２０８では、ＣＰＵ１８は、ステップＳ２０７で生成したマスク画像Ｍ（ｉ，ｊ）に応じたαに基づいて、第１画像Ｉｍｇ１（ｉ，ｊ）および第２画像Ｉｍｇ２（ｉ，ｊ）を合成して、合成画像１９４を生成する。
【００４５】
ステップＳ２０９では、ＣＰＵ１８は、ＡＳＩＣ１３の圧縮部１３７を制御して、ステップＳ２０８で生成した合成画像１９４を圧縮して圧縮画像１９５を生成させる。ＣＰＵ１８は、圧縮画像を生成した後、ステップＳ２００の処理に戻る。
ステップＳ２１０では、ＣＰＵ１８は、ステップＳ２０３で生成した現像画像１９２を圧縮して圧縮画像１９５を生成させる。ＣＰＵ１８は、圧縮画像を生成した後、ステップＳ２００の処理に戻る。
【００４６】
図６は、ステップＳ２０７で実行されるマスク画像Ｍ（ｘ，ｙ）の生成に関するフローチャートである。
ステップＳ３００では、ＣＰＵ１８は、ＡＳＩＣ１３を制御して、入力画像１９１に基づいて、各画素位置（ｉ，ｊ）における輝度画像Ｙ１（ｉ，ｊ）を生成させる。たとえば、下式により輝度画像Ｙ１（ｉ，ｊ）を生成させる。なお、Ｒ（ｉ，ｊ）、Ｇ（ｉ，ｊ）、Ｂ（ｉ，ｊ）は、それぞれＲＧＢ色空間に基づく画像データである。
Ｙ１（ｉ，ｊ）＝０．２９９×Ｒ（ｉ，ｊ）＋０．５８７×Ｇ（ｉ，ｊ）＋０．１１４×Ｂ（ｉ，ｊ）
【００４７】
ステップＳ３０１では、ＣＰＵ１８は、ＡＳＩＣ１３のリサイズ部１３６を制御して、ステップＳ３００で生成した輝度画像Ｙ１を縮小して、輝度画像Ｙ２を生成する。画像を縮小することにより、続くステップＳ３０２の処理を高速化することができる。
【００４８】
ステップＳ３０２では、ＡＳＩＣ１３は、ステップＳ３０１で縮小した輝度画像Ｙ２に対して所定強度のローパスフィルタ処理を適用して、輝度画像Ｙ３を生成する。
【００４９】
ステップＳ３０３では、ＣＰＵ１８は、ＡＳＩＣ１３のリサイズ部１３６を制御して、ステップＳ３０２でローパスフィルタを適用した輝度画像Ｙ３を縮小前の輝度画像Ｙ１と同一の大きさになるまで拡大して、マスク画像１９３を生成する。
【００５０】
上述した実施の形態によれば、次の作用効果が得られる。
（１）デジタルカメラ１は、ＡＳＩＣ１３を備える。ＡＳＩＣ１３は、ＣＰＵ１８の制御のもと、入力画像１９１または現像画像１９２に対して、画像処理部１３２、ローパスフィルタ部１３３、ノイズフィルタ部１３４などを用いて、種々の画像処理（図４）を行って第１画像と第２画像とを生成する。また、ＡＳＩＣ１３は、アルファブレンド部１３５を用いて、それらの第１画像と第２画像とを合成して合成画像１９４を生成する。デジタルカメラ１は、第１画像と第２画像を一つの入力画像１９１をもとに生成することにより、像ブレを生じさせないで表現豊かな画像を生成することができる。
【００５１】
（２）デジタルカメラ１は、ＩＳＯ感度が所定値より高い場合、現像画像１９２に対して標準強度より強めにノイズフィルタ処理を適用した画像を第１画像として生成し、現像画像１９２に対して標準強度のノイズフィルタを適用した画像を第２画像として生成する。このようにすることで、像ブレを生じさせることなく、現像画像１９２にノイズフィルタを適用した画像よりもノイズの少ない画像を生成することができる。
【００５２】
（３）デジタルカメラ１は、ポートレートモードに設定されている場合には、入力画像１９１に対して標準強度より強めに輪郭強調処理を適用した画像を第１画像として生成し、現像画像１９２に対して標準強度のローパスフィルタを適用した画像を第２画像として生成する。このようにすることで、像ブレを生じさせないで背景をぼかした画像を生成することができる。
また、デジタルカメラ１は、建物モードに設定されている場合には、入力画像１９１に対して標準強度より強めに輪郭強調処理を適用した画像を第１画像として生成し、現像画像１９２の輪郭部の近傍にローパスフィルタを適用した画像を第２画像として生成する。このようにすることで、像ブレを生じさせないで建物の像を強調した画像を生成することができる。
【００５３】
（４）デジタルカメラ１は、ビビッドモードに設定されている場合には、入力画像１９１に対して所定の強度の彩度強調処理を適用して、第１画像と第２画像を生成する。第１画像を生成する際の彩度強調処理の強度と、第２画像を生成する際の彩度強調処理の強度とは、同一であってもよいし、異なっていてもよい。入力画像１９１に対して彩度強調処理を行って生成した第１画像と第２画像とを合成することにより、入力画像１９１よりもダイナミックレンジの広い画像を生成することができる。
【００５４】
次のような変形も本発明の範囲内であり、変形例の一つ、もしくは複数を上述の実施形態と組み合わせることも可能である。
（変形例１）上記の実施の形態では、デジタルカメラ１は、撮影レンズ７がカメラと一体的に形成されたレンズ固定式のデジタルカメラとした。しかしながら、本発明は、カメラボディと、そのカメラボディに着脱可能な交換レンズからなるレンズ交換式のカメラシステムにも適用することができる。レンズ交換式のカメラシステムに適用した場合、図１に図示された構成のうち撮影レンズ７、絞り８、絞り駆動部９が交換レンズ側の構成となり、その他の構成がカメラボディ側の構成となる。
【００５５】
（変形例２）上記の実施の形態では、撮像素子１０と、アナログ信号処理回路１１およびＡ／Ｄ変換回路１２を別々の構成として示したが、アナログ信号処理回路１１およびＡ／Ｄ変換回路１２は、撮像素子１０と一体的に形成することにしてもよい。
【００５６】
（変形例３）図４に例示した第１画像Ｉｍｇ１および第２画像Ｉｍｇ２との対応関係は、あくまで一例であって、図４に例示した対応関係の一部またはすべてが実装されていなくてもよいし、他の対応関係が実装されていてもよい。
【００５７】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００５８】
１  デジタルカメラ
１０  撮像素子
１３  ＡＳＩＣ
３０  鮮鋭化フィルタ
Ｉｍｇ１  第１画像
Ｉｍｇ２  第２画像
１３１  画像取り込み部
１３２  画像処理部
１３３  ローパスフィルタ部
１３４  ノイズフィルタ部
１３５  アルファブレンド部
１９１  入力画像
１９２  現像画像
１９３  マスク画像
１９４  合成画像
１９５  圧縮画像
【図１】
2015139127.tif 000003
【図２】
2015139127.tif 000004
【図３】
2015139127.tif 000005
【図４】
2015139127.tif 000006
【図５】
2015139127.tif 000007
【図６】
2015139127.tif 000008